(57)【要約】【課題】極めてコンパクトな支持具を提供することで、安全な使用が可能になり、ハンドル操作やケース等の移動の妨げにもならず、しかも、遊技機への着脱が容易で各種の遊戯台に適用可能となり、不使用時でもハンドルを操作することができるパチンコ遊技機のハンドル支持具を提供する。【解決手段】ハンドルＱのシャフトＱ１部分に止着する止着体１０を設ける。該止着体１０からハンドルＱ正面に至る載置体２０を設ける。該載置体２０をハンドル１０の外径よりも小さく、且つ、手の平の手首近傍を載置する大きさに設ける。使用時にハンドルＱの下部前方へ略水平に展開すると共に、不使用時にハンドルＱ正面に重なるように揺動自在に設ける。載置体２０をハンドルＱ正面に重ねた状態でハンドルＱの回転操作が自在になるように設ける。【選択図】図１
2005342370.tif 000002
【特許請求の範囲】
【請求項１】
パチンコ遊技機の操作用ハンドルを持つ手を支持する支持具において、ハンドルのシャフト又はシャフト近傍に止着する止着体と、該止着体からハンドル正面に至る載置体とからなり、該載置体は、ハンドルの外径よりも小さく、且つ、手の平の手首近傍を載置する大きさに設け、使用時にハンドルの下部前方へ略水平に展開すると共に、不使用時にハンドル正面に重なるように揺動自在に設け、載置体をハンドル正面に重ねた状態でハンドルの回転操作が自在になるように設けたことを特徴とするパチンコ遊技機のハンドル支持具。
【請求項２】
前記載置体は、揺動部に設けられた弾性材にて常時付勢され、不使用時においてハンドル正面に自動的に重なるように設けられた請求項１記載のパチンコ遊技機のハンドル支持具。
【請求項３】
前記止着体は、前記シャフト部に連結されたハンドルに止着された請求項１記載のパチンコ遊技機のハンドル支持具。
【請求項４】
前記止着体は、前記遊技機のシャフトが貫通する周囲に止着された請求項１記載のパチンコ遊技機のハンドル支持具。
【請求項５】
前記止着体と前記載置体とは一体に形成され、載置体に設けられた揺動部を介して載置体が揺動自在となる請求項１記載のパチンコ遊技機のハンドル支持具。
【請求項６】
前記止着体と前記載置体とは別体に形成され、載置体を止着体にスライド自在に連結した請求項１記載のパチンコ遊技機のハンドル支持具。
【発明の詳細な説明】
【技術分野】
【０００１】
本発明は、パチンコ遊技機を操作するハンドルに装着して用いるハンドル支持具に係り、この支持具にハンドルを持つ手を載せて遊技者の疲労を軽減せしめるパチンコ遊技機のハンドル支持具に関する。
【背景技術】
【０００２】
パチンコ遊技機において、遊技者のハンドルを持つ手を支持する支持具が各種提案されている。そして、この支持具の種類として、遊技者の肘を支持するものと、手首を支持するものとに大別することができる。
【０００３】
特許文献１に記載の肘掛け装置は、遊技者の肘を支持するもので、操作ハンドルの前方側近傍には該操作ハンドルを握る手の肘掛け用となるアームレストを配備するとともに、該アームレストを天板もしくは天板下方の腰板側から延出する支持杆に架設して構成したものである。
【０００４】
特許文献２に記載の遊技補助器具は、遊技者の手首を支持する支持具である。この支持具では、収納位置から使用位置に揺動自在に設け、遊技の際は、支持具を収納位置から使用位置に設置し、不使用時にはこの支持具を上方に回動して収納位置に戻すようにしている。
【０００５】
特許文献３のパチンコ操作ハンドル用手置き具は、遊技者の手首を支持する支持具である。この支持具によると、玉置き台上に載置される基台と、該基台に対して高さ調整自在とされる手置き支持部と、該手置き支持部上に装着される手置き部とを備えたものである。特に、手置き支持部を好みの高さに調整自在にしたことで、長時間のプレーでも手首に負担がかからないとしている。
【特許文献１】特開平７−２４１３８１号公報
【特許文献２】実開平７−２１０９１号公報
【特許文献３】特開２００４−５７２７２号公報
【発明の開示】
【発明が解決しようとする課題】
【０００６】
前記各特許文献に代表されるように従来の支持具では、夫々肘を支持するタイプや手首を支持するタイプとして提案されていたが、いずれのタイプも、支持具の形状が大きくなり過ぎて、遊技の妨げになるといった不都合があった。
【０００７】
例えば、特許文献１に記載の肘掛け装置は、天板もしくは天板下方の腰板側から延出する支持杆を設け、この支持杆に肘掛け用となるアームレストを架設する構造を採用しているので、これら支持杆やアームレストが遊技者側に大きく張り出してしまう。このような大きな支持具では、支持具を使用しない遊技者にとっては極めて邪魔な存在となる。しかも、着席時や移動時に不用意に接触するおそれもあり、多くの危険性を伴なうものでもある。
【０００８】
また、特許文献２に記載の支持具は、収納位置から使用位置に揺動自在に設けており、不使用時には、この支持具をハンドルに重ねて収納するようにしている。したがって、遊技者が使用する際は、ハンドルに重なった支持具を必ず展開して使用しなければならず、支持具の使用の選択ができない構成になっている。その為、支持具の使用を好まない遊技者にとって、このような支持具は好ましいものではなかった。不使用時の支持具は、ハンドルに重ねて収納するようにしてはいるものの、ハンドルの前に大きく突出するものとなり、着席時や移動時に不用意に接触するなど、多くの危険性を伴なうものでもある。
【０００９】
更に特許文献３に記載の支持具は、玉置き台上に載置される基台と、該基台に対して高さ調整自在とされる手置き支持部と、該手置き支持部上に装着される手置き部とを備えているので、玉置き台のスペースが、大きく制限される不都合がある。この玉置き台のスペースは、玉を収納したケースを載置するように設けられており、このような支持具を載置していると、ケースを載置するスペースがが限られるのみならず、ケースを移動する際にも妨げになり、実用的ではなかった。
【００１０】
しかも、これら特許文献１乃至特許文献３に記載の如く、従来の支持具は、いずれも遊技機の盤面や載置台に固定する構造を採用しているので、遊技機の形状に合わせて支持具を製造する必要がある。この結果、遊技機の形状が異なると支持具の形状も変更せざるを得ないものであった。
【００１１】
そこで本発明は上述の課題を解消すべく創出されたもので、極めてコンパクトな支持具を提供することで、安全な使用が可能になり、ハンドル操作やケース等の移動の妨げにもならず、しかも、遊技機への着脱が容易で各種の遊戯機に適用可能となり、支持具を使用しないときでもハンドルを操作することができるパチンコ遊技機のハンドル支持具の提供を目的とするものである。
【課題を解決するための手段】
【００１２】
上術の課題を解決するため、本発明の第１の手段は、パチンコ遊技機Ｐの操作用ハンドルＱを持つ手を支持する支持具において、ハンドルＱのシャフトＱ１又はシャフトＱ１近傍に止着する止着体１０と、該止着体１０からハンドルＱ正面に至る載置体２０とからなり、該載置体２０は、ハンドル１０の外径よりも小さく、且つ、手の平の手首近傍を載置する大きさに設け、使用時にハンドルＱの下部前方へ略水平に展開すると共に、不使用時にハンドルＱ正面に重なるように揺動自在に設け、載置体２０をハンドルＱ正面に重ねた状態でハンドルＱの回転操作が自在になるように設けたことにある。
【００１３】
第２の手段の載置体２０は、揺動部２１に設けられた弾性材にて常時付勢され、不使用時においてハンドルＱ正面に自動的に重なるように設けられている。
【００１４】
第３の手段の止着体１０は、前記シャフトＱ１に連結されたハンドルＱに止着されるものである。
【００１５】
第４の手段の止着体１０は、前記遊技機ＰのシャフトＱ１が貫通する周囲に止着されるものである。
【００１６】
第５の手段は、前記止着体１０と前記載置体２０とを一体に形成し、載置体２０に設けられた揺動部２１を介して載置体２０が揺動自在となる。
【００１７】
第６の手段は、前記止着体１０と前記載置体２０とは別体に形成され、載置体２０を止着体１０にスライド自在に連結することを課題解消の為の手段とする。
【発明の効果】
【００１８】
ハンドルＱのシャフトＱ１又はシャフトＱ１近傍に止着する止着体１０と、該止着体１０からハンドルＱ正面に至る載置体２０とからなり、該載置体２０は、手の平の手首近傍を載置する大きさに設け、使用時にハンドルＱの下方で略水平に展開すると共に、不使用時にハンドルＱ正面に重なるように揺動自在に設けたことで、極めてコンパクトな支持具となって、安全な使用が可能になり、ハンドル操作やケース等の移動の妨げにならずに済む。しかも、止着体１０でシャフトＱ１又はシャフトＱ１近傍に止着するので、僅かな変更で装着可能になり、遊技機Ｐの盤面や載置台の形状に合わせるといった大掛かりな変更は必要なくなった。
【００１９】
また、載置体２０をハンドル１０の外径よりも小さく形成し、載置体２０をハンドルＱ前面に重ねた状態でハンドルＱの回転操作ができるように設けているので、不使用時でもハンドルを操作することができる。この結果、支持具の使用を好まない遊技者にとっても、本発明の支持具は操作の妨げにならずに済み、支持具の使用を遊技者が自由に選択することができる。
【００２０】
更に、載置体２０を、揺動部２１に設けられた弾性材にて常時付勢され、不使用時においてハンドルＱ正面に自動的に重なるように設けることで、載置体２０とハンドルＱとが常に一体化するので、従来の支持具のように、不使用時に嵩張ったり、他の作業の妨げになるといった不都合は解消された。
【００２１】
また、止着体１０を、前記シャフトＱ１に連結されたハンドルＱに止着し、あるいは、遊技機ＰのシャフトＱ１が貫通する周囲に止着するように設けることで、止着体１０の僅かな変更により各種の遊技機Ｐに対応した装着が可能になるものである。
【００２２】
更に、止着体１０と載置体２０とを一体に形成し、載置体２０に設けられた揺動部２１を介して載置体２０が揺動自在となるように設けることで、外観上の体裁が良好になり、違和感なくハンドルＱに装着することができる。
【００２３】
また、止着体１０と載置体２０とを別体に形成し、載置体２０を止着体１０にスライド自在に連結することで、シャフトＱ１等への着脱が容易で各種の遊戯台Ｐに適用可能となる。
【００２４】
このように、本発明によると、極めてコンパクトな支持具を提供することで、安全な使用が可能になり、ハンドル操作やケース等の移動の妨げにもならず、しかも、遊技機への着脱が容易で各種の遊戯台に適用可能となり、不使用時でもハンドルを操作することができるといった種々の効果を奏するものである。
【発明を実施するための最良の形態】
【００２５】
本発明支持具の最良の形態は、ハンドルＱのシャフトＱ１に止着する止着体１０と、該止着体１０からハンドルＱ正面に至り、使用時にハンドルＱの下方で略水平に展開すると共に、不使用時にハンドルＱ正面に重なる載置体２０を揺動自在に設ける。この載置体２０をハンドルＱの外径よりも小さくして手の平の手首近傍を載置する大きさに設け、載置体２０をハンドルＱに重ねた状態でハンドルＱの回転操作をできるようにすることにより、当初の目的を達成する。
【実施例】
【００２６】
次に、図面に基づいて本発明の実施例を詳細に説明する。本発明支持具は、止着体１０と載置体２０とからなる（図１参照）。
【００２７】
止着体１０は、ハンドルＱのシャフトＱ１又はシャフトＱ１近傍に止着する部材であり、この止着体１０に後述する載置体２０を設ける。図示の止着体１０は、載置体２０と一体に設けたもので、シャフトＱ１に止着した後に固定ネジ１１で固定する（図４参照）。このとき、止着体１０と載置体２０とを別体に形成し、これらを連結自在にすることも可能である（図示せず）。
【００２８】
また、止着体１０をシャフトＱ１の近傍に止着することも可能である。例えば、シャフトＱ１先端のハンドルＱの一部に止着したり、あるいは、遊技機ＰのシャフトＱ１が遊技機Ｐを貫通する周囲近傍に止着することも可能である（図示せず）。この場合、止着体１０の形状を変更してハンドルＱや遊技機Ｐの形状に合った止着手段を選択する。
【００２９】
載置体２０は、止着体１０からハンドルＱ正面に至る部材で、このハンドルＱ正面位置で揺動自在に設けている（図１参照）。すなわち、この載置体２０は、使用時にハンドルＱの下方で略水平に展開する。このとき、載置体２０の面積は、手の平の手首近傍を載置する大きさに形成している。また、不使用時の載置体２０は、ハンドルＱ正面に重ねるものである（図６参照）。このとき、載置体２０は、ハンドル１０の外径よりも小さく設けられ、載置体２０をハンドルＱに重ねた状態でハンドルＱの回転操作をできるように設けている（図３参照）。
【００３０】
図示の載置体２０は、載置体２０に設けられた揺動部２１を介して揺動するものである（図５参照）。この揺動部２１は、互いに嵌合する連結片２１Ａに連結ピン２１Ｂを貫通させている。このとき、載置体２０を、揺動部２１に設けた弾性材（図示せず）にて常時付勢し、載置体２０不使用時においてハンドルＱ正面に載置体２０が自動的に重なるように設けることも可能である（図１参照）。
【００３１】
また、図示していないが、止着体１０と載置体２０とを別体に形成し、これらの連結位置から揺動するように設けることも可能である。更に、載置体２０を止着体１０にスライド自在に連結することで、各種の遊技機ＰにおけるハンドルＱの位置に合わせて載置体２０を調整することができるようになり、より多くの遊技機Ｐに適用可能となる。
【００３２】
尚、本発明の各構成は前記実施例に限定されることなく、本発明の要旨を逸脱しない範囲内における止着体１０や固定ネジ１１、あるいは載置体２０や揺動部２１等の設計変更は自由に行えるものである。
【図面の簡単な説明】
【００３３】
【図１】本発明支持具の一実施例を示す側面図である。
【図２】本発明支持具の一実施例を示す正面図である。
【図３】本発明支持具の載置体をハンドルに重ねた状態を示す正面図である。
【図４】本発明支持具の止着体を示す要部断面図である。
【図５】本発明支持具の揺動部を示す要部平面図である。
【図６】本発明支持具の一実施例を示す斜視図である。
【符号の説明】
【００３４】
Ｐ  遊技機
Ｑ  ハンドル      Ｑ１  シャフト
１０  止着体
１１  固定ネジ
２０  載置体
２１  揺動部      ２１Ａ  連結片
２１Ｂ  連結ピン
【図１】
2005342370.tif 000003
【図２】
2005342370.tif 000004
【図３】
2005342370.tif 000005
【図４】
2005342370.tif 000006
【図５】
2005342370.tif 000007
【図６】
2005342370.tif 000008